(57)【要約】【課題】患部に穿刺可能で、先端部を除く外周面に絶縁被覆１１を施した中空の外針１と、外針に挿通される、先端部に温度センサ２１を有する内針２とを備え、外針に内針を介して高周波電流を供給するようにした温度センサ付き電極針装置であって、外針の基端部に連結される連結筒３を備え、この連結筒に内針の基端部２２が軸方向に位置調節自在に内挿されるものにおいて、内針の位置調節を簡単な操作で行うことができるようにする。【解決手段】連結筒３内に、内針２の基端部２２の外周に巻き付けられる巻き付け部３２ａと、連結筒３に固定される固定部３２ｂとを有するばね部材３２が設けられる。そして、内針２の基端部２２を巻き付け部３２ａの巻回方向と逆方向に回転することにより内針２の基端部２２が軸方向に移動可能になるようにする。【選択図】図１
2007000303.tif 000002
【特許請求の範囲】
【請求項１】
患部に穿刺可能で、先端部を除く外周面に絶縁被覆を施した中空の外針と、外針に挿通される、先端部に温度センサを有する内針とを備え、外針に内針を介して高周波電流を供給するようにした温度センサ付き電極針装置であって、外針の基端部に連結される連結筒を備え、この連結筒に内針の基端部が軸方向に位置調節自在に内挿されるものにおいて、
連結筒内に、内針の基端部外周に巻き付けられる巻き付け部と、連結筒に固定される固定部とを有するばね部材が設けられ、内針の基端部を巻き付け部の巻回方向と逆方向に回転することにより内針の基端部が軸方向に移動可能になることを特徴とする温度センサ付き電極針装置。
【請求項２】
前記ばね部材は縮径部と拡径部とを有するコイルばねで構成され、コイルばねの縮径部が前記巻き付け部となり、コイルばねの拡径部が前記固定部になることを特徴とする請求項１記載の温度センサ付き電極針装置。
【請求項３】
前記ばね部材はゼンマイばねで構成され、ゼンマイばねの径方向内方部分が前記巻き付け部となり、ゼンマイばねの径方向外方部分が前記固定部になることを特徴とする請求項１記載の温度センサ付き電極針装置。
【発明の詳細な説明】
【技術分野】
【０００１】
本発明は、患部に高周波電流を流して患部の高周波熱凝固や焼灼等を行うために使用する医療用の温度センサ付き電極針装置に関する。
【背景技術】
【０００２】
従来、医療用の電極針装置として、患部に穿刺可能で、先端部を除く外周面に絶縁被覆を施した中空の外針と、外針に挿通される内針とを備え、外針に内針を介して高周波電流を供給し、絶縁被覆が施されていない外針の先端部から患部に高周波電流を流すようにしたものは知られている。このもので、内針の先端部には温度センサが取付けられており、この温度センサにより患部の温度を把握できるようにしている(例えば、特許文献１参照)。
【０００３】
ところで、外針の長さはメーカーによって、また、同じメーカーであっても製品ごとに多少の差異があるため、患部の温度を正確に把握するためには、温度センサの位置を外針の長さに合わせて調節すること、即ち、先端部に温度センサを有する内針を外針に対し軸方向に位置調節自在とすることが必要になる。そこで、従来、外針の基端部に連結される連結筒を設け、この連結筒に内針の基端部を軸方向に位置調節自在に内挿したものも知られている。
【０００４】
このものでは、連結筒の周壁部に径方向のねじ孔を形成し、このねじ孔に螺挿した止めねじを内針の基端部外周面に押し当てて、内針の基端部を固定できるようにしている。然し、これでは、内針の位置調節に際し、一々止めねじを緩めたり締め付けたりする必要があり、操作が面倒になる不具合がある。
【特許文献１】米国特許第４４１１２６６号明細書
【発明の開示】
【発明が解決しようとする課題】
【０００５】
本発明は、以上の点に鑑み、内針の位置調節を簡単な操作で行うことができるようにした操作性に優れた温度センサ付き電極針装置を提供することをその課題としている。
【課題を解決するための手段】
【０００６】
上記課題を解決するために、本発明は、患部に穿刺可能で、先端部を除く外周面に絶縁被覆を施した中空の外針と、外針に挿通される、先端部に温度センサを有する内針とを備え、外針に内針を介して高周波電流を供給するようにした温度センサ付き電極針装置であって、外針の基端部に連結される連結筒を備え、この連結筒に内針の基端部が軸方向に位置調節自在に内挿されるものにおいて、連結筒内に、内針の基端部外周に巻き付けられる巻き付け部と、連結筒に固定される固定部とを有するばね部材が設けられ、内針の基端部を巻き付け部の巻回方向と逆方向に回転することにより内針の基端部が軸方向に移動可能になることを特徴とする。
【０００７】
本発明によれば、常時はばね部材の巻き付け部と内針の基端部外周面との間に作用する摩擦力により、内針の基端部は連結筒に対し移動しないが、内針の基端部を巻き付け部の巻回方向と逆方向に回転すると、巻き付け部にこれを巻きほぐす力が作用して、巻き付け部と内針の基端部外周面との間に作用する摩擦力が減少する。そのため、内針の基端部を連結筒に対し軸方向に移動させて、内針、即ち、その先端部の温度センサを外針に対し軸方向に位置調節することが可能になる。そして、内針の位置調節に際し、従来のように止めねじを緩めたり締め付けたりする必要がなく、操作が簡単になる。
【０００８】
また、内針の基端部を軸方向に単純に押し引きするだけでは、ついつい力を入れすぎて微妙な位置調節を行うことが困難になるため、微妙な位置調節に際しては、内針の基端部を回転させながら押し引きする複合操作を行うのが一般的である。本発明では、この複合操作の回転を利用して巻き付け部を巻きほぐすことができるため、非常に合理的な操作で内針の位置調節を行うことができ、操作性に優れる。
【０００９】
尚、ばね部材としては、コイルばねやゼンマイばねを用いることができる。そして、コイルばねでばね部材を構成する場合は、コイルばねを縮径部と拡径部とを有するものに形成して、縮径部を内針の基端部に対する巻き付け部とし、拡径部を連結筒に対する固定部とすれば良い。また、ゼンマイばねでばね部材を構成する場合は、ゼンマイばねの径方向内方部分を内針の基端部に対する巻き付け部とし、ゼンマイばねの径方向外方部分を連結筒に対する固定部とすれば良い。
【発明を実施するための最良の形態】
【００１０】
以下、本発明の実施形態を図面を参照して説明する。図１は本発明の電極針装置の第１実施形態を示す縦断面図、図２は図１のＩＩ−ＩＩ線で切断した横断面図、図３は本発明の電極針装置の第２実施形態を示す縦断面図、図４は図３のＩＶ−ＩＶ線で切断した横断面図である。
【００１１】
図１を参照して、本発明の第１実施形態の電極針装置は、金属製の中空の外針１と、外針１に挿通される金属製の内針２と、外針１の基端部に連結される樹脂製の連結筒３とを備える。外針１の先端は、患部に穿刺可能となるように先鋭に形成され、また、外針１には、先端部を除く外周面に絶縁被覆１１が施されている。外針１は、基端のハブ１２において連結筒３の先端のルアーテーパー部３１に着脱自在に連結される。
【００１２】
内針２は中空に形成され、その先端に取付けるキャップ２ａの内面に熱電対から成る温度センサ２１が接着剤２２により内針２に対し電気的に絶縁した状態で取付けられている。そして、内針２内に温度センサ２１に連なる２本のワイヤ２１ａを挿通し、このワイヤ２１ａに温度表示器４を接続して、温度センサ２１で検出された温度を表示できるようにしている。尚、内針２内には、酸化マグネシウム等の絶縁材が充填されている。また、内針２には、高周波電源５が接続されている。そして、内針２を外針１の内周面の少なくとも一部に接触させ、外針１に内針２を介して高周波電流が供給されるようにしている。かくして、外針１を穿刺した患部に絶縁被覆１１を施していない外針１の先端部から高周波電流が流れ、患部に対し高周波熱凝固や焼灼等の処置が施される。
【００１３】
内針２には、連結筒３に内挿される基端のスリーブ２３が固定されており、連結筒３の尾方に露出するスリーブ２３の基端には大径のノブ部２３ａが形成されている。また、連結筒３内には、スリーブ２３の外周に巻き付けられる巻き付け部３２ａと、連結筒３に固定される固定部３２ｂとを有するばね部材３２が設けられている。本実施形態では、ばね部材３２を、コイル内径がスリーブ２３の外径にほぼ等しい縮径部と、コイル外径が連結筒３の内径にほぼ等しい拡径部とを有するコイルばね６で構成し、縮径部をスリーブ２３に対する巻き付け部３２ａとしている。また、拡径部６ｂを、高周波誘導加熱等で連結筒３の内周面に固着させて、連結筒３に対する固定部３２ｂとしている。尚、コイルばね６は軸方向の隙間が空かないように形成されている。
【００１４】
ここで、巻き付け部３２ａの巻回方向は、図２に示す如く、軸方向尾方から見て反時計方向である。スリーブ２３は、常時は、巻き付け部３２ａとスリーブ２３の外周面との間に作用する摩擦力により連結筒３に対し移動しない。一方、ノブ部２３ａを摘んでスリーブ２３を図２で時計方向に回転すると、巻き付け部３２ａにこれを巻きほぐす力が作用して、巻き付け部３２ａとスリーブ２３の外周面との間に作用する摩擦力が減少する。そのため、スリーブ２３を連結筒３に対し軸方向に移動させて、内針２、即ち、その先端部の温度センサ２１を外針１に対し軸方向に位置調節することが可能になる。これにより、外針１の長さが多少変化しても、温度センサ２１を外針１の針先側の最適位置に置いて、患部の温度を正確に把握することができる。
【００１５】
ところで、スリーブ２３を軸方向に単純に押し引きするだけでは、ついつい力を入れすぎて微妙な位置調節を行うことが困難になる。従って、微妙な位置調節に際しては、スリーブ２３を回転させながら押し引きする複合操作を行うのが一般的である。そして、本実施形態では、スリーブ２３を時計方向に回転しながら軸方向に押し引きするという非常に合理的な複合操作で内針２(温度センサ２１)の位置調節が行われることになり、操作性に優れる。
【００１６】
次に、図３、図４を参照して、本発明の第２実施形態の電極針装置について説明する。第２実施形態における上記第１実施形態と同様の部材には上記と同一の符号を付している。第１実施形態と相違するのは、ばね部材３２としてゼンマイばね７を用いたことである。ここで、ゼンマイばね７の径方向内方部分がスリーブ２３に対する巻き付け部３２ａになっている。また、ゼンマイばね７の径方向外方部分に、連結筒３の周壁部に形成した係合孔３３に係合する爪部を形成し、この爪部を連結筒３に対する固定部３２ｂとしている。尚、ゼンマイばね７の径方向外方部分を高周波誘導加熱等により連結筒３に固着して、この部分を連結筒３に対する固定部３２ｂとしても良い。
【００１７】
巻き付け部３２ａの巻回方向は、図４に示す如く、軸方向尾方から見て反時計方向である。従って、スリーブ２３を図４で時計方向に回転させると、巻き付け部３２ａにこれを巻きほぐす力が作用し、第１実施形態のものと同様に、スリーブ２３を連結筒３に対し軸方向に移動させて、内針２(温度センサ２１)を外針１に対し軸方向に位置調節することが可能になる。
【００１８】
尚、上記実施形態では、スリーブ２３の外周面を円筒面に形成しているが、スリーブ２３の外周面にその母線方向にのびる突条を形成し、スリーブ２３を巻き付け部３２ａの巻回方向と逆方向に回転させたときに突条が巻き付け部３２ａの端縁に係合して、巻き付け部３２ａにこれを巻きほぐす力が効率良く伝達されるようにすることも可能である。また、上記実施形態では、温度センサ２１として熱電対を用いているが、サーミスタ等の熱電対以外の温度センサを用いることも可能である。
【図面の簡単な説明】
【００１９】
【図１】本発明装置の第１実施形態を示す縦断面図。
【図２】図１のＩＩ−ＩＩ線で切断した横断面図。
【図３】本発明装置の第２実施形態を示す縦断面図。
【図４】図３のＩＶ−ＩＶ線で切断した横断面図。
【符号の説明】
【００２０】
１…外針、１１…絶縁被覆、２…内針、２１…温度センサ、２３…スリーブ(内針の基端部)、３…連結筒、３２…ばね部材、３２ａ…巻き付け部、３２ｂ…固定部、６…コイルばね、７…ゼンマイばね。
【図１】
2007000303.tif 000003
【図２】
2007000303.tif 000004
【図３】
2007000303.tif 000005
【図４】
2007000303.tif 000006